(57)【特許請求の範囲】
【請求項１】
棒状工具を収容するための工具容器において、
合成樹脂でもって同一の構成を有するようにそれぞれ一体成形される第１及び第２の容器部品を備えており、
これら第１及び第２の容器部品の各々は、容器本体と、背板部材とを具備しており、
前記容器本体は、
矩形状底壁と、
この矩形状底壁の各両対向端部のうちの一方の両対向端部から互いに対向するようにＬ字状に屈曲して延出する両対向側壁と、
前記矩形状底壁から前記両対向側壁の間を通り延出する筒体であってその延出端開口部を介し前記棒状工具をその柄部から挿入されて保持可能なように形成してなる筒体とを有しており、
前記背板部材は、
前記容器本体の前記矩形状底壁の他方の両対向端部の一方の対向端部に対する前記容器本体の対応部位から当該容器本体の前記両対向側壁の各延出長さに対する対応長さでもって前記容器本体の前記矩形状底壁の厚さ方向へ回動可能に延出する基端側板部と、この基端側板部からその延出方向に延出する中間板部と、この中間板部からその延出方向に延出する先端側板部とでもって、長手状に形成してなる主板と、
前記中間板部の内面側へその幅方向両縁部から互いに対向するようにＬ字状に屈曲して延出する両側副板とを有しており、
前記第１容器部品の前記容器本体、前記主板及び前記両側副板を、それぞれ、第１容器本体、第１主板及び第１両側副板とし、かつ、前記第２容器部品の前記容器本体、前記主板及び前記両側副板を、それぞれ、第２容器本体、第２主板及び第２両側副板として、
前記第１両側副板がその各延出側部位にて前記第２主板の前記先端側板部の幅方向両縁部に沿うとともに前記第２両側副板がその各延出側部位にて前記第１主板の前記先端側板部の幅方向両縁部に沿うように、前記第２容器本体の前記両対向側壁のうちの前記第２主板とは各反対側部位の間に前記第１主板の前記先端側板部を挿入するとともに前記第１容器本体の前記両対向側壁のうちの前記第１主板とは各反対側部位の間に前記第２主板の前記先端側板部を挿入して、前記第１両側副板を前記第１及び第２の主板の延出方向にて前記第２両側副板に連結させて、
前記第１主板をその先端側板部及び中間板部を介し前記第２両側副板の各延出側部位及び前記第２容器本体の前記筒体の双方の少なくとも一方と前記第２容器本体の前記両対向側壁の前記各反対側部位との間に挟持するとともに、前記第２主板をその先端側板部及び中間板部を介し前記第１両側副板の各延出側部位及び前記第１容器本体の前記筒体の双方の少なくとも一方と前記第１容器本体の前記両対向側壁の前記各反対側部位との間に挟持して、前記棒状工具を収容可能なように前記第１及び第２の容器部品を液密的に組み付けることを特徴する工具容器。
【請求項２】
前記第１及び第２の容器部品を形成する前記合成樹脂は、透明の硬合成樹脂からなり、
前記第１及び第２の主板の各々の前記基端側板部を、その基端側幅方向両端部から互いに逆向きに外方へ突出するように形成される各軸部にて、前記容器本体の前記両対向側壁のうちの前記基端側板部の前記基端側幅方向両端部に対する各対応部位に形成される各軸孔部内に相対回動可能に連結するように、前記透明の硬合成樹脂を用いた前記第１及び第２の容器部品の各々の一体成形において成形してなることを特徴とする請求項１に記載の工具容器。
【請求項３】
前記第１及び第２の容器部品を形成する前記合成樹脂は、柔合成樹脂からなり、
前記第１及び第２の主板の各々の前記基端側板部と前記第１及び第２の容器本体の各々の前記矩形状底壁との間の境界部を薄肉部として薄肉状に形成するように、前記柔合成樹脂を用いた前記第１及び第２の容器部品の各々の一体成形において成形してなることを特徴とする請求項１に記載の工具容器。
【請求項４】
前記第１及び第２の両側副板の各々は、前記中間板部からその内面側へその幅方向両縁部にて互いに対向するようにＬ字状に屈曲して延出する厚肉部と、この厚肉部の延出端部からその延出方向に薄肉状に延出する薄肉部とを有しており、
当該薄肉部は、前記厚肉部の延出端部の外側端部から当該厚肉部よりも薄肉状に形成されており、
前記第１主板の前記先端側板部は、その幅方向両縁部にて、前記第２両側副板の各延出端部の内側端部に沿うように前記第２両側副板の前記各薄肉部の間に介装されるとともに、前記第２主板の前記先端側板部は、その幅方向両縁部にて、前記第１両側副板の各延出端部の内側端部に沿うように前記第１両側副板の前記各薄肉部の間に介装されることを特徴とする請求項１〜３のいずれか１つに記載の工具容器。
【請求項５】
前記第１及び第２の容器本体の各々において、
前記両対向側壁の前記各反対側部位は、互いに対向するようにＬ字状に屈曲して延出する屈曲壁部を形成してなり、
前記筒体は、円筒と、この円筒の周壁のうち前記各屈曲壁部の間に対する対応部位に軸方向に沿い開口してなる軸方向開口部の両対向縁部から前記各屈曲壁部の間に向けて延出する両延出壁とを形成してなり、
前記第１及び第２の主板の各々の前記先端側板部は、幅方向両縁部と、この幅方向両縁部の各対向部位からその厚さ方向外側へ突出するように構成してなる幅方向中央部とでもって形成されており、
前記第１主板の前記先端側板部が、前記幅方向両縁部にて、前記第２容器本体の前記両対向側壁の前記各屈曲壁部にその内面側に沿うように、かつ、前記幅方向中央部にて、前記第２容器本体における前記筒体の前記両延出壁と前記両対向側壁の前記各屈曲壁部との間に挟持されて前記第２容器本体の前記両対向側壁の前記各屈曲壁部の間からその厚さ方向外側へ突出して当該各屈曲壁部の間に沿うように、前記第１主板が、前記先端側板部にて、前記第２容器本体の前記両対向側壁の前記各反対側部位の間に挿入され、
かつ、前記第２主板の前記先端側板部が、前記幅方向両縁部にて、前記第１容器本体の前記両対向側壁の前記各屈曲壁部にその内面側に沿うように、かつ、前記幅方向中央部にて、前記第１容器本体の前記両対向側壁の前記各屈曲壁部の間からその厚さ方向外側へ突出するとともに前記第１容器本体の前記筒体の前記両延出壁と前記第１容器本体の前記両対向側壁の前記各屈曲壁部との間に挟持されて当該各屈曲壁部の間に沿うように、前記第２主板が、前記先端側板部にて、前記第１容器本体の前記両対向側壁の前記各反対側部位の間に挿入されることを特徴とする請求項１〜４のいずれか１つに記載の工具容器。
【請求項６】
前記第１及び第２の容器本体の各々の前記筒体の前記両延出壁は、その各対向側へ凸な横断面湾曲形状にて、前記円筒の前記軸方向開口部の前記両対向縁部から前記各屈曲壁部の間に向けて延出するように両湾曲壁として形成されており、
前記第１及び第２の主板の各々の前記先端側板部は、前記幅方向中央部にて、
連結部と、この連結部の幅方向両縁部からＬ字状に屈曲するように延出する両側脚部とでもって、外方へ凸な横断面コ字状に形成されて、前記両側脚部にて、前記棒状工具の前記柄部を前記円筒内にて締め付けるように前記両湾曲壁をその各外側から挟持することを特徴とする請求項５に記載の工具容器。
【請求項７】
前記第１及び第２の主板の前記先端側板部は、前記幅方向中央部の前記両側脚部の間隔にて、前記先端側板部の前記中間板部からの延出方向に向けて順次広くなるように形成されていることを特徴とする請求項６に記載の工具容器。
【請求項８】
前記第１及び第２の主板の各々の前記先端側板部の前記両側脚部の間隔は、前記先端側板部の延出端側において、前記筒体の前記両湾曲壁の延出端側外面の間隔よりも大き目であり、また、前記先端側板部の延出基端側において、前記両湾曲壁の前記延出基端側外面の前記間隔よりも小さ目であるように形成されていることを特徴とする請求項７に記載の工具容器。
【発明の詳細な説明】
【技術分野】
【０００１】
本発明は、ドリルやエンドミル等の棒状工具を収容するに適した工具容器に関する。
【背景技術】
【０００２】
従来、この種の工具容器においては、下記特許文献１に記載の工具ケースが提案されている。この工具ケースは、断面正方形状の下ケースと、この下ケースにその開口部から嵌装される断面正方形状の上ケースと、下ケースの底部に配置したじゃばら構造のクッション部材とを備えている。
【０００３】
しかして、棒状工具を上記工具ケース内に収容するにあたっては、棒状工具をその先端部からクッション部材に向けて下ケース内に挿入した後、下ケースの開口端部からクッション部材の弾力のもとに露出する棒状工具を包囲するようにして上ケースを嵌装することで、棒状工具を工具ケース内に移動不能に収容するようになっている。
【先行技術文献】
【特許文献】
【０００４】
【特許文献１】特開２００２−２８４２６７号公報
【発明の概要】
【発明が解決しようとする課題】
【０００５】
ところで、上記工具ケースにおいては、下ケース及び上ケースが共に断面正方形状にて筒状に形成されている。このため、上述のように棒状工具を工具ケースに収容するにあたって、上ケースを、その開口端部にて、下ケースの開口端部に対し、同軸的に精度よく対向させた上で、下ケースにその開口端部から嵌装しなければならない。
【０００６】
しかしながら、上ケース及び下ケースの各開口端部の開口形状は、共に、正方形状でもって、相互に嵌め合わせ形状となっていることから、上述のような嵌装作業が非常に面倒で作業効率の低下を招くという不具合が生ずる。
【０００７】
また、棒状工具を工具ケース内にて移動不能に保持するにあたり、クッション部材という余分な部品を必須とすると不具合もある。
【０００８】
そこで、本発明は、以上のようなことに対処するため、棒状工具を移動不能に収容するにあたり、余分な部品を必要とすることなく、同一の構成にて相互に簡単な操作で組み付け可能なように工夫を凝らしてなる両容器部品を備える工具容器を提供することを目的とする。
【課題を解決するための手段】
【０００９】
上記課題の解決にあたり、本発明に係る工具容器は、請求項１の記載によれば、
棒状工具（Ｄ）を収容するためのものである。
【００１０】
当該工具容器は、
合成樹脂でもって同一の構成を有するようにそれぞれ一体成形される第１及び第２の容器部品（Ｐ、Ｑ）を備えており、
これら第１及び第２の容器部品の各々は、容器本体（Ｂ）と、背板部材（Ｔ）とを具備しており、
容器本体は、
矩形状底壁（１０）と、
この矩形状底壁の各両対向端部のうちの一方の両対向端部から互いに対向するようにＬ字状に屈曲して延出する両対向側壁（２０、３０）と、
上記矩形状底壁から上記両対向側壁の間を通り延出する筒体であってその延出端開口部を介し棒状工具をその柄部から挿入されて保持可能なように形成してなる筒体（４０）とを有しており、
背板部材は、
容器本体の上記矩形状底壁の他方の両対向端部（１１、１２）の一方の対向端部（１１）に対する容器本体の対応部位から当該容器本体の上記両対向側壁の各延出長さに対する対応長さでもって容器本体の上記矩形状底壁の厚さ方向へ回動可能に延出する基端側板部（５０ａ）と、この基端側板部からその延出方向に延出する中間板部（５０ｂ）と、この中間板部からその延出方向に延出する先端側板部（５０ｃ）とでもって、長手状に形成してなる主板（５０）と、
上記中間板部の内面側へその幅方向両縁部から互いに対向するようにＬ字状に屈曲して延出する両側副板（６０）とを有しており、
第１容器部品（Ｐ）の容器本体、主板及び両側副板を、それぞれ、第１容器本体、第１主板及び第１両側副板とし、かつ、第２容器部品（Ｑ）の容器本体、主板及び両側副板を、それぞれ、第２容器本体、第２主板及び第２両側副板として、
第１両側副板がその各延出側部位（６２）にて第２主板の上記先端側板部の幅方向両縁部に沿うとともに第２両側副板がその各延出側部位（６２）にて第１主板の上記先端側板部の幅方向両縁部に沿うように、第２容器本体の上記両対向側壁のうちの第２主板とは各反対側部位（２２、３２）の間に第１主板の上記先端側板部を挿入するとともに第１容器本体の上記両対向側壁のうちの第１主板とは各反対側部位（２２、３２）の間に第２主板の上記先端側板部を挿入して、第１両側副板を第１及び第２の主板の延出方向にて第２両側副板に連結させて、
第１主板をその先端側板部及び中間板部を介し第２両側副板の各延出側部位及び第２容器本体の筒体の双方の少なくとも一方と第２容器本体の上記両対向側壁の上記各反対側部位との間に挟持するとともに、第２主板をその先端側板部及び中間板部を介し第１両側副板の各延出側部位及び第１容器本体の筒体の双方の少なくとも一方と第１容器本体の上記両対向側壁の上記各反対側部位との間に挟持して、棒状工具を収容可能なように第１及び第２の容器部品を液密的に組み付けることを特徴する。
【００１１】
これによれば、当該工具容器は、余分な部品を必要とすることなく、上述のように、同一の構成を有するように合成樹脂でもって一体成形された第１及び第２の容器部品でもって構成されている。従って、これら第１及び第２の容器部品を組み付けるにあたっては、第１両側副板がその各延出側部位にて第２主板の上記先端側板部の幅方向両縁部に沿うとともに第２両側副板がその各延出側部位にて第１主板の上記先端側板部の幅方向両縁部に沿うように、第２容器本体の上記両対向側壁のうちの第２主板とは各反対側部位の間に第１主板の上記先端側板部を挿入するとともに第１容器本体の上記両対向側壁のうちの第１主板とは各反対側部位の間に第２主板の上記先端側板部を挿入して、第１両側副板を第１及び第２の主板の延出方向にて第２両側副板に連結させる。
【００１２】
このとき、上述のように、第２容器本体の上記両対向側壁のうちの第２主板とは各反対側部位の間に第１主板の上記先端側板部を挿入するとともに第１容器本体の上記両対向側壁のうちの第１主板とは各反対側部位の間に第２主板の上記先端側板部を挿入するにあたり、これら挿入が、第２容器本体と第１主板とを対向させる操作及び第１容器本体と第２主板とを対向させる操作を精度よく行うことを必要とせず、第１両側副板をその各延出側部位にて第２主板の上記先端側板部の幅方向両縁部に沿わせるとともに第２両側副板をその各延出側部位にて第１主板の上記先端側板部の幅方向両縁部に沿わせるようにするだけで、容易になされ得る。
【００１３】
そして、上述のような連結に伴い、第１主板をその先端側板部及び中間板部を介し第２両側副板の各延出側部位及び第２容器本体の筒体の双方の少なくとも一方と第２容器本体の上記両対向側壁の上記各反対側部位との間に挟持するとともに、第２主板をその先端側板部及び中間板部を介し第１両側副板の各延出側部位及び第１容器本体の筒体の双方の少なくとも一方と第１容器本体の上記両対向側壁の上記各反対側部位との間に挟持するようにして、第１及び第２の容器部品を組み付ける。
【００１４】
このようにして第１及び第２の容器部品を組み付けることで、当該第１及び第２の容器部品が簡単に組み付けられ得る。また、棒状工具を当該工具容器に収容した場合、当該棒状工具は、上述のように第１及び第２の容器部品を組み付けたことにより、工具容器内に液密的に収容され得る。その結果、棒状工具に油が付着していても、この油が第１及び第２の容器部品の間から漏れ出にくく、また、異物が第１及び第２の容器部品の間から混入することもない。
【００１５】
また、棒状工具は、その柄部にて、上述のごとく筒体内に保持されているので、当該棒状工具が、工具容器内にて移動することもない。
【００１６】
また、第１及び第２の容器部品は、共に、同一の構成を有するように、合成樹脂でもって、一体成形されている。従って、第１及び第２の容器部品を成形するにあたり必要とされる金型は、第１及び第２の容器部品の各々に対し別々に独立的に準備する必要はなく、第１及び第２の容器部品の一方のための金型を準備すればよい。
【００１７】
その結果、第１及び第２の容器部品の各一体成形は、同一の金型を用いて樹脂成形を行えばよく、当該工具容器の製造工程や製造作業が非常に簡素化されるとともに、金型のコスト、ひいては、工具容器の製造コストが大幅に低減され得る。
【００１８】
また、本発明は、請求項２の記載によれば、請求項１に記載の工具容器において、
第１及び第２の容器部品を形成する上記合成樹脂は、透明の硬合成樹脂からなり、
第１及び第２の主板の各々の上記基端側板部を、その基端側幅方向両端部（５１）から互いに逆向きに外方へ突出するように形成される各軸部（５１ａ）にて、容器本体の上記両対向側壁のうちの上記基端側板部の上記基端側幅方向両端部に対する各対応部位に形成される各軸孔部（２１ａ、３１ａ）内に相対回動可能に連結するように、上記透明の硬合成樹脂を用いた第１及び第２の容器部品の各々の一体成形において成形してなることを特徴とする。
【００１９】
これによれば、第１（或いは第２）の主板の第１（或いは第２）の容器本体に対する回動は、上述のように軸孔部内に軸部を相対回動可能に連結することでなされる。このため、第１（或いは第２）の主板の第１（或いは第２）の容器本体に対する回動が円滑になされ得る。その結果、請求項１に記載の発明の作用効果がより一層向上され得る。
【００２０】
また、上述のごとく第１及び第２の容器部品が透明の硬合成樹脂により形成されているから、当該工具容器の外観が高級な透明感を呈するのは勿論のこと、工具容器に収容済みの棒状工具が工具容器の周壁を通して観察することができて便利である。
【００２１】
なお、上記硬合成樹脂としては、第１及び第２の容器部品の各々の一体成形後において、上述した各軸部と各軸孔部との相対回動可能な形成を容易に行える程度の硬さを有する合成樹脂（例えば、ポリカーボネイト）が挙げられる。
【００２２】
また、本発明は、請求項３の記載によれば、請求項１に記載の工具容器において、
第１及び第２の容器部品を形成する上記合成樹脂は、柔合成樹脂からなり、
第１及び第２の主板の各々の上記基端側板部と第１及び第２の容器本体の各々の前記矩形状底壁との間の境界部を薄肉部（５１ｂ）として薄肉状に形成するように、前記柔合成樹脂を用いた前記第１及び第２の容器部品の各々の一体成形において成形してなることを特徴とする。
【００２３】
これによれば、薄肉部は、第１（或いは第２）の主板と第１（或いは第２）の容器本体との間のヒンジ部として機能することとなる。このため、第１（或いは第２）の主板の第１（或いは第２）の容器本体に対する回動は、上述のようなヒンジ部を基準になされる。従って、第１（或いは第２）の主板の第１（或いは第２）の容器本体に対する回動が円滑になされ得る。その結果、請求項１に記載の発明の作用効果がより一層向上され得る。
【００２４】
なお、上記柔合成樹脂としては、第１及び第２の容器部品の各々の一体成形後において、上記薄肉部をヒンジ部として機能させ易い程度の柔らかさを有する合成樹脂（例えば、ポリプロピレン樹脂）が挙げられる。
【００２５】
また、本発明は、請求項４の記載によれば、請求項１〜３のいずれか１つに記載の工具容器において、
第１及び第２の両側副板の各々は、上記中間板部からその内面側へその幅方向両縁部にて互いに対向するようにＬ字状に屈曲して延出する厚肉部（６１）と、この厚肉部の延出端部からその延出方向に薄肉状に延出する薄肉部（６２）とを有しており、
当該薄肉部は、上記厚肉部の延出端部の外側端部から当該厚肉部よりも薄肉状に形成されており、
第１主板の上記先端側板部は、その幅方向両縁部にて、第２両側副板の各延出端部の内側端部（６１ａ）に沿うように第２両側副板の上記各薄肉部の間に介装されるとともに、第２主板の上記先端側板部は、その幅方向両縁部にて、第１両側副板の各延出端部の内側端部（６１ａ）に沿うように第１両側副板の上記各薄肉部の間に介装されることを特徴とする。
【００２６】
このように、第１主板の先端側板部は、その幅方向両縁部にて、第２両側副板の各延出端部の内側端部に沿うように第２両側副板の上記各薄肉部の間に介装されるとともに、第２主板の先端側板部は、その幅方向両縁部にて、第１両側副板の各延出端部の内側端部に沿うように第１両側副板の上記各薄肉部の間に介装されることで、第１主板の先端側板部は、第２両側副板の上記各薄肉部の間にて、当該第２両側副板の各延出端部の内側端部に当接し、かつ、第２主板の先端側板部は、第１両側副板の上記各薄肉部の間にて、当該第１両側副板の各延出端部の内側端部に当接する。これにより、請求項１〜３のいずれか１つに記載の発明の作用効果がより一層具体的に達成され得る。
【００２７】
また、本発明は、請求項５の記載によれば、請求項１〜４のいずれか１つに記載の工具容器において、
第１及び第２の容器本体の各々において、
上記両対向側壁の上記各反対側部位（２２、３２）は、互いに対向するようにＬ字状に屈曲して延出する屈曲壁部（２２ｂ、３２ｂ）を形成してなり、
筒体は、円筒（４１）と、この円筒の周壁のうち上記各屈曲壁部の間に対する対応部位に軸方向に沿い開口してなる軸方向開口部（４１ａ）の両対向縁部から上記各屈曲壁部の間に向けて延出する両延出壁（４２）とを形成してなり、
第１及び第２の主板の各々の上記先端側板部は、幅方向両縁部（５３ｂ）と、この幅方向両縁部の各対向部位からその厚さ方向外側へ突出するように構成してなる幅方向中央部（５３ａ）とでもって形成されており、
第１主板の上記先端側板部が、上記幅方向両縁部にて、第２容器本体の上記両対向側壁の上記各屈曲壁部にその内面側に沿うように、かつ、上記幅方向中央部にて、第２容器本体における筒体の上記両延出壁と上記両対向側壁の上記各屈曲壁部との間に挟持されて第２容器本体の上記両対向側壁の上記各屈曲壁部の間からその厚さ方向外側へ突出して当該各屈曲壁部の間に沿うように、第１主板が、上記先端側板部にて、第２容器本体の上記両対向側壁の上記各反対側部位の間に挿入され、
かつ、第２主板の上記先端側板部が、上記幅方向両縁部にて、第１容器本体の上記両対向側壁の上記各屈曲壁部にその内面側に沿うように、かつ、上記幅方向中央部にて、第１容器本体の上記両対向側壁の上記各屈曲壁部の間からその厚さ方向外側へ突出するとともに第１容器本体の筒体の上記両延出壁と第１容器本体の上記両対向側壁の上記各屈曲壁部との間に挟持されて当該各屈曲壁部の間に沿うように、第２主板が、上記先端側板部にて、第１容器本体の上記両対向側壁の上記各反対側部位の間に挿入されることを特徴とする。
【００２８】
これにより、第１主板の先端側板部の第２容器本体の両対向側壁の各反対側部位の間への挿入及び第２主板の先端側板部の第１容器本体の両対向側壁の各反対側部位の間への挿入がより一層確実に達成され得る。その結果、請求項１〜４のいずれか１つに記載の発明の作用効果がより一層向上され得る。
【００２９】
また、本発明は、請求項６の記載によれば、請求項５に記載の工具容器において、
第１及び第２の容器本体の各々の筒体の上記両延出壁は、その各対向側へ凸な横断面湾曲形状にて、円筒の上記軸方向開口部の上記両対向縁部から上記各屈曲壁部の間に向けて延出するように両湾曲壁として形成されており、
第１及び第２の主板の各々の上記先端側板部は、上記幅方向中央部にて、
連結部（５３ｃ）と、この連結部の幅方向両縁部からＬ字状に屈曲するように延出する両側脚部（５３ｄ）とでもって、外方へ凸な横断面コ字状に形成されて、上記両側脚部にて、棒状工具の上記柄部を円筒内にて締め付けるように両湾曲壁をその各外側から挟持することを特徴とする。
【００３０】
これによれば、先端側板部の上記幅方向中央部による筒体の両湾曲壁に対する挟持がより一層確実に達成され得る。その結果、請求項５に記載の発明の作用効果がより一層向上され得る。
【００３１】
また、本発明は、請求項７の記載によれば、請求項６に記載の工具容器において、第１及び第２の主板の上記先端側板部は、上記幅方向中央部の上記両側脚部の間隔にて、上記先端側板部の上記中間板部からの延出方向に向けて順次広くなるように形成されていることを特徴とする。
【００３２】
これにより、第１及び第２の容器部品を組み付ける過程において、第１主板の先端側板部の幅方向中央部は、その両側脚部にて、第２容器本体の筒体の両湾曲壁をその両外側から順次締め付けるようにして、第２容器本体の両対向側壁の間に挿入される。このため、第１主板の先端側板部の上記幅方向中央部による第２容器本体の筒体の両湾曲壁に対する挟持がさらに強固になされ得る。その結果、請求項６に記載の発明の作用効果がより一層向上され得る。
【００３３】
また、本発明は、請求項８の記載によれば、請求項７に記載の工具容器において、第１及び第２の主板の各々の上記先端側板部の上記両側脚部の間隔は、上記先端側板部の延出端側において、筒体の上記両湾曲壁の延出端側外面の間隔よりも大き目であり、また、上記先端側板部の延出基端側において、上記両湾曲壁の上記延出基端側外面の上記間隔よりも小さ目であるように形成されていることを特徴とする。
【００３４】
これにより、請求項７に記載の発明の作用効果がより一層向上され得る。
【００３５】
なお、上記各手段の括弧内の符号は、後述する実施形態に記載の具体的手段との対応関係を示す。
【図面の簡単な説明】
【００３６】
【図１】本発明に係る工具容器の第１実施形態を示す斜視図である。
【図２】図１の工具容器の容器部品を、主板を容器本体に沿わせた状態にて示す斜視図である。
【図３】図２の容器部品を、主板を容器本体から回動させた状態にて示す斜視図である。
【図４】図２の容器部品を、主板を容器本体から回動させた状態にて示す斜視図である。
【図５】図３の容器部品を、主板を容器本体から分離した状態にて示す斜視図である。
【図６】図３の容器部品の平面図である。
【図７】図６の容器部品の左側面図である。
【図８】図６の容器部品の右側面図である。
【図９】図６の容器部品の正面図である。
【図１０】図６の容器部品の下面図である。
【図１１】図１０にて１１−１１線に沿う断面図である。
【図１２】図３の容器部品を、棒状工具を筒体に挿入した状態にて示す斜視図である。
【図１３】図１２の容器部品を、主板を容器本体に沿わせた状態にて示す斜視図である。
【図１４】本発明に係る工具容器の第２実施形態の要部を示す平面図である。
【図１５】図１４にて１５−１５線に沿う断面図である。
【発明を実施するための形態】
【００３７】
以下、本発明の各実施形態を図面により説明する。
（第１実施形態）
図１は、本発明にかかる工具容器の第１実施形態を示している。この工具容器は、ドリルやエンドミル等の棒状工具を収容するために用いられるもので、当該工具容器の横断面は正方形状であり、当該工具容器の縦断面は、長手矩形形状である。なお、本第１実施形態において、当該工具容器の全長寸法は、８５（ｍｍ）程度であり、当該工具容器の横断面の寸法は、１３（ｍｍ）×１３（ｍｍ）程度である。
【００３８】
当該工具容器は、図１〜図４のいずれにて示すごとく、長手状の両側容器部品Ｐ、Ｑを備えている。
【００３９】
これら両側容器部品Ｐ、Ｑは、それぞれ、後述のように、同一の構成を有するように一体成形されており、これら両側容器部品Ｐ、Ｑは、互いに着脱可能に組み付けられて、当該工具容器を構成する（図１参照）。
【００４０】
一側容器部品Ｐは、図１〜図１１のいずれかにて示すごとく、容器本体Ｂと、背板部材Ｔとを備えている。図２において、図示左斜め前側及び図示右斜め後側は、それぞれ、一側容器部品Ｐの前側及び後側に対応し、図示左斜め後側及び図示右斜め前側は、それぞれ、一側容器部品Ｐの左側及び右側に対応し、図示上側及び下側は、それぞれ、一側容器部品Ｐの上側及び下側（底側）に対応する。
【００４１】
一側容器部品Ｐにおいて、容器本体Ｂは、図２〜図４のいずれかにて示すごとく、矩形状底壁１０と、左右両側壁２０、３０と、筒体４０とを備えている。左右両側壁２０、３０のうち、左側壁２０は、図２にて示すごとく、底壁１０の左端部から上方へＬ字状に屈曲して延出するように形成してなるもので、この左側壁２０は、その後端壁部２１にて、底壁１０の後端部１１よりも後方へ延出している（図５或いは図６参照）。
【００４２】
ここで、左側壁２０の後端壁部２１は、左側斜め後方へ凸な横断面湾曲状（図６参照）となるように右側へ湾曲して、背板部材Ｔの主板５０の基端側板部５０ａの左縁部（後述する）にその外側から係合可能となるように形成されている（図３、図５或いは図６参照）。なお、左側壁２０の後端壁部２１は、以下、後端係合部２１ともいう。
【００４３】
また、当該左側壁２０は、その前側部２２にて、当該左側壁２０の前端壁部２２ａ及び屈曲壁部２２ｂでもって構成されており、当該左側壁２０において、屈曲壁部２２ｂは、前端壁部２２ａから横断面Ｌ字状に右側へ屈曲して細幅状に延出されている（図２、図５或いは図６参照）。なお、屈曲壁部２２ｂの内面の長手方向中間部位には、窪みｈが形成されている（図７参照）。
【００４４】
右側壁３０は、図２にて示すごとく、底壁１０の右端部から上方へＬ字状に屈曲して延出するように形成されており、当該右側壁３０は、その後端壁部３１にて、左側壁２０の後端壁部２１と同様に、底壁１０の後端部１１よりも後方へ延出している（図５或いは図６参照）。
【００４５】
ここで、右側壁３０の後端壁部３１は、右側斜め後方へ凸な横断面湾曲状となるように左側へ湾曲して、背板部材Ｔの主板５０の基端側板部５０ａの右縁部（後述する）にその外側から係合可能となるように形成されている（図４、図５或いは図６参照）。なお、右側壁３０の後端壁部３１は、以下、後端係合部３１ともいう。
【００４６】
また、当該右側壁３０は、その前側部３２にて、当該右側壁３０の前端壁部３２ａ及び屈曲壁部３２ｂでもって構成されており、当該右側壁３０において、屈曲壁部３２ｂは、前端壁部３２ａから屈曲壁部２２ｂに向け横断面Ｌ字状に屈曲して細幅状に延出されている（図５或いは図６参照）。なお、屈曲壁部３２ｂの内面の長手方向中間部位には、窪みｈが、屈曲部２２ｂの窪みｈに左右方向に対向するように、形成されている（図７及び図１１参照）。
【００４７】
また、本第１実施形態では、左右両側壁２０、３０の底壁１０の上面からの延出長さは、１８（ｍｍ）程度である。また、左右両側壁２０、３０の各外面の全面には、図２にて例示するごとく、滑り止めのための凹凸処理が、後述の一体成形過程において、施されている。ここで、当該凹凸処理は、図２にて例示するごとく、左右両側壁２０、３０の各外面にその上下方向には断面凹凸状にまた幅方向には長手状になされている。これにより、容器本体Ｂの左右両側壁２０、３０を手の両指により滑ることなく挟むことができる。なお、上述した左右両側壁２０、３０の底壁１０の上面からの延出長さは、必要に応じて適宜変更してもよい。
【００４８】
筒体４０は、図３、図５及び図６のいずれかにて示すごとく、切り割り状円筒４１を有している。この円筒４１は、その軸方向下端部にて、底壁１０の中央部に一体的に形成されており、当該円筒４１は、その軸方向下端部から上方へ延出されて、上方に向け開口している。また、当該円筒４１は、その周壁の左側部にて、左側壁２０に両連結壁部２３（図６参照）を介し一体的に連結されており、当該円筒４１の周壁の右側部は、右側壁３０に両連結壁部３３（図６参照）を介し一体的に連結されている。
【００４９】
これにより、円筒４１は、底壁１０及び左右両側壁２０、３０により、底壁１０に対し上方へ直角に延出するように一体的に支持されており、当該円筒４１の上方への延出端部は、上端開口部として形成されている。
【００５０】
当該円筒４１は、その周壁の前側部にて、軸方向に沿い半径方向へ切り割り状に開口されて、前側軸方向開口部４１ａ（図６参照）として形成されている。ここで、円筒４１の前側軸方向開口部４１ａの開口幅は、当該円筒４１の半径よりも狭く、例えば、１（ｍｍ）〜２（ｍｍ）程度の範囲以内の値に設定されている。なお、円筒４１の上端開口部は、以下、前側軸方向開口部４１ａに対し、符号４１ｂにて示される。なお、上述した円筒４１の前側軸方向開口部４１ａの開口幅は、必要に応じて適宜変更してもよい。
【００５１】
また、筒体４０は、左右両側湾曲壁４２を有しており、これら左右両側湾曲壁４２は、円筒４１の前側軸方向開口部４１ａの開口幅の中心線（両前側屈曲壁部２２ｂ、３２ｂの間の中心線）に対し対称的な形状にて、円筒４１の前側軸方向開口部４１ａの左右両側内縁部からそれぞれ前側へ一体的に延出するように形成されている。
【００５２】
ここで、左側湾曲壁４２は、図６にて示すごとく、前側軸方向開口部４１ａの左側内縁部から右側湾曲壁４２に向け凸な湾曲形状となるように前側へ延出している。一方、右側湾曲壁４２は、前側軸方向開口部４１ａの右側内縁部から左側湾曲壁４２に向け凸な湾曲形状となるように前側へ延出している。なお、左右両側湾曲壁４２の各延出端部は、左右両側壁２０、３０の各前側屈曲壁部２２ｂ、３２ｂよりも後側（容器本体Ｂにおいて各前側屈曲壁部２２ｂ、３２ｂよりも円筒４１側）に位置している。
【００５３】
背板部材Ｔは、容器本体Ｂから前後方向に回動可能に延出してなるもので、この背板部材Ｔは、主板５０と、左右両側副板６０とにより構成されている。
【００５４】
主板５０は、基端側板部５０ａ、中間板部５０ｂ及び先端側板部５０ｃを備えており、基端側板部５０ａは、その延出基端部５１にて、以下に詳細に説明するごとく、容器本体Ｂの左側壁２０の後端係合部２１及び右側壁３０の後端係合部３１の各下端部に相対回動可能に連結されている。
【００５５】
ここで、容器部品Ｐにおける容器本体Ｂ及び背板部材Ｔの間の連結構成について説明する。容器部品Ｐは、容器本体Ｂ及び背板部材Ｔを別々に独立的に成形した上でこれら容器本体Ｂ及び背板部材Ｔを上述のごとく連結することにより構成されるのではなく、容器本体Ｂ及び背板部材Ｔの連結構成をも含めて、容器本体Ｂ及び背板部材Ｔを一体成形することで構成される。
【００５６】
但し、本第１実施形態では、容器本体Ｂ及び背板部材Ｔの間の連結構成について、図５に示すごとく、便宜上、容器本体Ｂ及び背板部材Ｔを相互に分解した状態にて、説明する。
【００５７】
容器本体Ｂにおいて、左側壁２０の後端係合部２１は、その下端部にて、軸孔部２１ａを形成してなり、また、右側壁３０の後端係合部３１は、その下端部にて、軸孔部３１ａを、後端係合部２１の軸孔部２１ａにその前方から同軸的に対向するように形成してなるものである。
【００５８】
一方、背板部材Ｔの主板５０において、基端側板部５０ａの延出基端部５１は、その左右方向両端部（幅方向両端部）にて、左右両側軸部５１ａを同軸的にかつ互いに逆向きに外方へ突出してなるもので、当該基端側板部５０ａの延出基端部５１は、左側軸部５１ａにて、左側壁２０の後端係合部２１の軸孔部２１ａ内にその右側から同軸的に回動可能に嵌装され、また、右側壁３０の後端係合部３１の軸孔部３１ａ内にその左側から同軸的に回動可能に嵌装されている。
【００５９】
これにより、基端側板部５０ａは、その延出基端部５１にて、左側壁２０の後端係合部２１及び右側壁３０の後端係合部３１の各下端部に相対回動可能に連結されている。従って、主板５０を容器本体Ｂに向けて前方へ回動することで、容器本体Ｂの左側壁２０が、その後端係合部２１にて、主板５０の基端側板部５０ａの左側縁部に当接して、その弾力に抗して、左側から係合し、容器本体Ｂの右側壁３０が、その後端係合部３１にて、主板５０の基端側板部５０ａの右側縁部に当接して、その弾力に抗して、右側から係合する。
【００６０】
また、主板５０を容器本体Ｂから分離するように後方へ回動することで、容器本体Ｂの左側壁２０が、その後端係合部２１にて、主板５０の基端側板部５０ａの左側縁部からその弾力に抗して解離し、容器本体Ｂの右側壁３０が、その後端係合部３１にて、主板５０の基端側板部５０ａの右側縁部からその弾力に抗して解離する。
【００６１】
また、主板５０において、中間板部５０ｂは、基端側板部５０ａの延出端部からその延出方向に一体的に延出されている。先端側板部５０ｃは、中間板部５０ｂの延出端部からその延出方向へ一体的に延出されており、当該先端側板部５０ｃは、基端側板部位５２と、延出端側板部位５３とにより、構成されている。
【００６２】
基端側板部位５２は、中間板部５０ｂの延出端部からその延出方向に延出されており、当該基端側板部位５２は、基端側板部５０ａ及び中間板部５０ｂと共に、その各左右両側縁部の間の幅方向中央部の内面にて、円筒４１の外周面の横断面円形状に沿うように、横断面円弧状に形成されている。
【００６３】
延出端側板部位５３は、基端側板部位５２の延出端部からその延出方向に延出されており、当該延出端側板部位５３は、コ字状中央部５３ａ及び左右両側縁部５３ｂでもって構成されている（図２〜図５参照）。コ字状中央部５３ａは、当該延出端側板部位５３の幅方向中央にて、その外面側へ凸な横断面コ字状に形成されており、当該コ字状中央部５３ａは、連結部５３ｃと、この連結部５３ｃの幅方向両縁部からＬ字状に屈曲して互いに対向するように延出する左右両側脚部５３ｄとでもって、横断面コ字状に形成されている。
【００６４】
ここで、左右両側脚部５３ｄは、その各外面（各厚さ方向外面）の間の間隔、即ち、左側脚部５３ｄの厚さ方向外面（左側面）と右側脚部５３ｄの厚さ方向外面（右側面）との間の間隔を、容器本体Ｂの両前側屈曲壁部２２ｂ、３２ｂの各対向部の間の間隔に対応させるように形成されている。また、当該左右両側脚部５３ｄは、その各対向内面の間の間隔、即ち、左側脚部５３ｄの内面（右側面）と右側脚部５３ｄの内面（左側面）との間の間隔を、延出端側板部位５３の延出基端側から延出端側にかけて順次幾分広くするように形成されており、当該左右両側脚部５３ｄの各対向面の間隔は、延出端側板部位５３の延出端側において、容器本体Ｂの筒体４０の左右両側湾曲壁４２の各延出端側外面の間の間隔よりも幾分広くなっている。また、当該左右両側脚部５３ｄの各対向面の間隔は、延出端側板部位５３の延出基端側において、筒体４０の左右両側湾曲壁４２の各延出端側外面の間の間隔よりも幾分狭くなっている。
【００６５】
また、左右両側縁部５３ｂの厚さ方向外面と連結部５３ｃの厚さ方向外面との間隔、換言すれば、連結部５３ｃの厚さ方向外面の左右両側縁部５３ｂの厚さ方向外面からの高さは、容器本体Ｂの両前側屈曲壁部２２ｂ、３２ｂの各厚さ方向外面と筒体４０の左右両側湾曲壁４２の各延出端部との間の間隔（容器本体Ｂの前後方向に沿う間隔）に対応する。
【００６６】
また、左右両側縁部５３ｂの各厚さ方向外面には、その長手方向中間部位にて、各隆起部ｕが形成されている（図２〜図５、図９及び図１０のいずれか参照）。当該各隆起部ｕは、後述するように、それぞれ、容器本体Ｂの左右両側壁２０、３０の各屈曲壁部２２ｂ、３２ｂの窪みｈ内に係合して、主板５０の先端側板部５０ｃの容器本体Ｂ内への挿入位置を位置決めする役割を果たす。従って左右両側縁部５３ｂの各先端部から各隆起部ｕまでの距離は、各屈曲壁部２２ｂ、３２ｂの底壁１０の前端部内面から各窪みｈまでの距離に対応する。
【００６７】
左右両側副板６０のうち、左側副板６０は、主板５０の中間板部５０ｂの左側縁部からその内面側へＬ字状に屈曲するように延出されており、一方、右側副板６０は、中間板部５０ｂの右側縁部からその内面側へＬ字状に屈曲するように延出されて左側副板６０に対向している。
【００６８】
ここで、左右両側副板６０は、それぞれ、厚肉部６１、薄肉部６２及び複数のリブ６３により構成されており、左側副板６０において、厚肉部６１は、主板５０の中間板部５０ｂの左縁部からＬ字状に屈曲して延出されている。薄肉部６２は、厚肉部６１の延出端部から当該厚肉部６１の延出方向に延出されており、この薄肉部６２は、厚肉部６１の延出端部のうち外側端部から厚肉部６１よりも薄い厚さにて延出するように形成されている。これに伴い、内側端部（以下、内側端部６１ａという）が、厚肉部６１の延出端部に形成されている。複数のリブ６３は、主板５０の中間板部５０ｂの左側部位から厚肉部６１の内面（右側面）にかけて三角板状に形成されている。
【００６９】
一方、右側副板６０は、厚肉部６１、薄肉部６２及び複数のリブ６３でもって、中間板部５０ｂの左右方向中心線に対して対称的な形状となるように構成されている。当該右側副板６０の厚肉部６１は、左側副板６０の厚肉部６１に対向するように、主板５０の中間板部５０ｂの右縁部からＬ字状に屈曲して延出されている。当該右側副板６０の薄肉部６２は、左側副板６０の薄肉部６２に対向するように、右側副板６０の厚肉部６１の延出端部の外側端部から当該厚肉部６１の延出方向に延出されている。
【００７０】
この右側副板６０の薄肉部６２は、左側副板６０の薄肉部６２と同一の薄さとなるように、右側副板６０の厚肉部６１の外側端部に形成されている。これに伴い、右側副板６０の厚肉部６１の延出端部には、内側端部（以下、内側端部６１ａという）が形成されている。
【００７１】
ここで、左右両側副板６０において、各薄肉部６２の各厚肉部６１からの延出高さは、主板５０の先端側板部５０ｃのうちの基端側板部位５２の左右両側縁部の板厚にほぼ等しい。また、右側副板６０の厚肉部６１の内側端部６１ａは、左側副板６０の厚肉部６１の内側端部６１ａとの間において、左右方向において同一面内に位置している。
【００７２】
右側副板６０の複数のリブ６３は、主板５０の中間板部５０ｂの右側部位から右側副板６０の厚肉部６１の内面（左側面）にかけて三角板状に形成されている。
【００７３】
しかして、以上のように構成した一側容器部品Ｐは、次のようにして、上記スライド型（図示しない）を利用した樹脂射出成形機（図示しない）による射出組み付け成形によって、透明の硬合成樹脂（例えば、ポリカーボネート）を用いて、同一の構成を有するように一体成形される。なお、上記硬合成樹脂は、後述のように、一側容器部品Ｐの一体成形後において、左側軸部２１ａとの相対回動可能な形成及び右側軸部５１ａと軸孔部３１ａとの相対回動可能な形成を容易に行える程度の硬さを有する合成樹脂であることをいう。
【００７４】
この一体成形にあたり、上型及び下型からなるスライド型金型（図示しない）を準備する。当該スライド型金型において、上型及び下型がその各成形開口部にて組み合わされたとき、これら上型及び下型の内部に形成される成形空間部は、図３にて示す状態にある容器部品の外形形状に対応する。
【００７５】
即ち、背板部材Ｔがその主板５０にて容器本体Ｂの底壁１０と同一面内にある場合の容器部品の外形形状に対応する空間形状が、上型及び下型の内部に形成される成形空間部に対応する。
【００７６】
ここで、当該成形空間部のうち、容器本体Ｂの底壁１０の後端部１１と背板部材Ｔの主板５０の基端側板部５０ａの延出基端部５１との間の連結部位、具体的には、上記成形空間部のうち左側壁２０の後端係合部２１の軸孔部２１ａの内周面と基端側板部５０ａの延出基端部５１の円柱状左側軸部５１ａの外周面との境界に対する対応部位には、円筒状の左側中子が着脱可能に介装されている。また、上記成形空間部のうち右側壁３０の後端係合部３１の軸孔部３１ａの内周面と基端側板部５０ａの延出基端部５１の円柱状右側軸部５１ａの外周面との境界に対する対応部位には、円筒状の右側中子が着脱可能に介装されている。
【００７７】
これは、容器本体Ｂ及び背板部材Ｔの一体成形を終了した後において、後端係合部２１の軸孔部２１ａに対する基端側板部５０ａの左側軸部５１ａの回動及び後端係合部３１の軸孔部３１ａに対する基端側板部５０ａの右側軸部５１ａの回動を可能にするためである。
【００７８】
また、上記成形空間部のうち底壁１０の後端部１１の左右両側軸部５１ａを除く中間部位と主板５０の基端側板部５０ａの延出基端部５１の左右両側軸部５１ａを除く中間部位との間の境界に対する対応部位は、容器本体Ｂ及び背板部材Ｔの一体成形を終了した後において後述のごとく切断可能なように薄く形成されている。
【００７９】
上述のような組み合わせ後のスライド型金型内にその成形空間部のうち容器本体の一部に対応する注入部位から透明の硬合成樹脂（例えば、ポリカーボネート）を溶融状態にて樹脂射出成形機により注入する。この注入は、透明の硬合成樹脂が上記成形空間部の全体に亘るように行われる。
【００８０】
このように注入した後スライド型金型を冷却して上記成形空間部内の硬合成樹脂を硬合成樹脂体として固化して上述の両中子をスライド型金型から抜く。然る後、上型を下型から解離させて上記硬合成樹脂体を下型から取り出す。
【００８１】
このような段階においては、上記硬合成樹脂体のうち左側壁２０の軸孔部２１ａの内周面と基端側板部５０ａの左側軸部５１ａの外周面との境界に対する対応部位及び右側壁３０の軸孔部３１ａの内周面と基端側板部５０ａの右側軸部５１ａの外周面との境界に対する対応部位は、それぞれ、円筒状空隙となっている。また、上記硬合成樹脂体のうち底壁１０の後端部１１の左右両側軸部５１ａを除く中間部位と基端側板部５０ａの延出基端部５１の左右両側軸部５１ａを除く中間部位との間の境界に対する対応部位は、薄く形成されている。さらに、上記硬合成樹脂体は、上述のごとく、硬い合成樹脂からなるものである。
【００８２】
このため、背板部材Ｔを容器本体Ｂに対し主板５０の板厚方向に折り曲げることで、上記硬合成樹脂体のうち底壁１０の後端部１１の左右両側軸部５１ａを除く中間部位と基端側板部５０ａの延出基端部５１の左右両側軸部５１ａを除く中間部位との間の境界に対する対応部位が容易に切断される。
【００８３】
これにより、上記硬合成樹脂体が、容器本体Ｂと背板部材Ｔとの一体成形体として成形される。ここで、背板部材Ｔは、主板５０の左右両側軸部５１ａにて、容器本体Ｔの底壁１０の後端部１１に対し相対回動可能となっている。
【００８４】
なお、他側容器部品Ｑも、一側容器部品Ｐと同様の構成を有するように、当該一側容器部品Ｐの成形に用いた上記スライド型金型を利用して、当該一側容器部品Ｐと同様に、上記硬合成樹脂を用いて、樹脂成形機による射出組み付け成形により、一体成形される。
【００８５】
以上のように構成した本第１実施形態において、当該工具容器に対する棒状工具Ｄの収容は、次のようにしてなされる。
【００８６】
まず、上述のように共に同一構成となるように一体成形した両側容器部品Ｐ、Ｑを準備する。このとき、当該両側容器部品Ｐ、Ｑは、共に、図２にて示す状態にあるものとする。このような状態では、両側容器部品Ｐ、Ｑのいずれも、容器本体Ｂが、その左右両側壁２０、３０の各後端係合部２１、３１にて、その弾力に抗して、フック機能を発揮して、背板部材Ｔの主板５０の基端側板部５０ａの左右両側縁部にその外方から係合している。
【００８７】
このため、両側容器部品Ｐ、Ｑのいずれも、背板部材Ｔの主板５０が、その基端側板部５０ａにて容器本体Ｂの左右両側壁２０、３０の間を閉じるように左右両側壁２０、３０に沿いその後側から当接している。このとき、背板部材Ｔの左右両側副板６０のうち左側副板６０が、その下端部（容器本体Ｂ側端部）にて、容器本体Ｂの左側壁２０の延出端部に沿うように接合し、かつ、右側副板６０が、その下端部（容器本体Ｂ側端部）にて、容器本体Ｂの右側壁３０の延出端部に沿うように接合している。
【００８８】
このような状態において、棒状工具Ｄの収容にあたり、作業者が、例えば、容器部品Ｐの容器本体Ｂの左右両側壁２０、３０の各前側部位をその弾力に抗して手の親指と人差し指とで挟む。然る後、当該作業者が容器部品Ｐの容器本体Ｂをその左右両側壁２０、３０にて上述のように挟んだまま背板部材Ｔの主板５０から分離する方向へ引っ張る。
【００８９】
このとき、左右両側壁２０、３０の各外面には、滑り止め用凹凸処理が上述のごとく施されているので、当該作業者は、左右両側壁２０、３０を把持することで、当該作業者の親指と人差し指とが左右両側壁２０、３０から滑って外れることはない。
【００９０】
しかして、上述のように左右両側壁２０、３０を主板５０から分離する方向へ引っ張ると、容器本体Ｂが、左右両側壁２０、３０の各後端係合部２１、３１にて、弾力に抗して僅かに互いに逆方向に開きながら主板５０の基端側板部５０ａの左右両側縁部から解離して、主板５０の基端側板部５０ａの延出基端部５１を基準に当該基端側板部５１から離れる方向へ回動する。
【００９１】
ここで、主板５０が、その基端側板部５１の左右両側軸部５１ａにて、上述のごとく、容器本体Ｂの左右両側壁２０、３０の各軸孔部２１ａ、３１ａに回動可能に連結されているので、容器本体Ｂは、主板５０から離れる方向に容易に回動することができる。これにより、工具容器Ｐは、図３にて示す状態に維持され得る。
【００９２】
このような段階において、作業者が棒状工具Ｄをその柄部から容器本体Ｂの筒体４０の円筒４１内にその上端開口部４１ｂを介し挿入すれば、棒状工具Ｄは、図１２にて示すごとく、その柄部の下端部位にて、筒体４０の円筒４１内に収容される。
【００９３】
このとき、上述のように容器本体Ｂを主板５０から離れる方向へ回動させた状態にて、棒状工具Ｄの柄部が円筒４１に挿入されるので、この挿入が、背板部材Ｔの左右両側副板５０により干渉されることなく、容易に行われ得る。
【００９４】
このような状態において、背板部材Ｔをその主板５０にて容器本体Ｂに向けて回動する。このとき、主板５０が、その基端側板部５１の左右両側軸部５１ａにて、上述のごとく、容器本体Ｂの左右両側壁２０、３０の各軸孔部２１ａ、３１ａに回動可能に連結されているので、主板５０は、容器本体Ｂに向けて容易に回動され得る。
【００９５】
しかして、主板５０が、上述のように容器本体Ｂに向けて回動することで、基端側板部５０ａが容器本体Ｂの左右両側壁２０、３０の間を閉じるように左右両側壁２０、３０にその後側から当接する。このような段階にて、基端側板部５０ａの左右両側縁部を容器本体Ｂの左右両側壁２０、３０の各後端係合部２１、３１に押し付けるように各後端係合部２１、３１に向けて押動すると、容器本体Ｂが、左右両側壁２０、３０の各後端係合部２１、３１にて、弾力に抗して主板５０の基端側板部５０ａの左右両側縁部に外方から係合する。
【００９６】
これに伴い、背板部材Ｔの左右両側副板６０が、その各下端部にて容器本体Ｂの左右両側壁２０、３０の各延出端部に沿い接合する。これにより、棒状工具Ｄは、図１３にて示すごとく、その柄部にて、一側容器部品Ｐの容器本体Ｂの筒体４０に収容されて当該筒体４０から左右両側副板６０の間を通り延出した状態に維持される。
【００９７】
このような段階において、作業者が、その左右両手により、両側容器部品Ｐ、Ｑを、例えば、左右方向から対向させるように把持する。このとき、上述のように棒状工具Ｄを収容した状態にある一側容器部品Ｐが、その主板５０の先端側板部５０ｃでもって、他側容器部品Ｑの主板５０の先端側板部５０ｃの直下にて、当該先端側板部５０ｃとともに互いに左右方向に水平状に位置するように把持される。
【００９８】
これに伴い、両側容器部品Ｑ、Ｐの各背板部材Ｔの左右両側副板６０は、他側容器部品Ｑの主板５０及び一側容器部品Ｐの主板５０からそれぞれ互いに逆向きに上下方向へ延出するように位置し、かつ、棒状工具Ｄは、その先端部（刃先部）にて、他側容器部品Ｑの筒体４０の円筒４１の上端開口部４１ｂに対向するように位置する。
【００９９】
然る後、作業者が、左右両手により、両側容器部品Ｐ、Ｑを把持した状態にて、当該両側容器部品Ｐ、Ｑをそのままの位置から互いに接近する方向に水平方向に移動させる。そして、他側容器部品Ｑの主板５０をその先端側板部５０ｃにて一側容器部品Ｐの左右両側副板６０の各薄肉部６２の間に挿入するとともに、一側容器部品Ｐの主板５０をその先端側板部５０ｃにて他側容器部品Ｑの左右両側副板６０の各薄肉部６２の間に挿入する。これらの挿入は、両側容器部品Ｐ、Ｑを上述のごとく同一構成としたため、同時になされ得る。
【０１００】
このとき、一側容器部品Ｐの主板５０の先端側板部５０ｃが、その左右両側縁部にて、他側容器部品Ｑの左右両側副板６０の各内側端部６１ａ上に沿うように、当該左右両側副板６０の間に挿入されるとともに、他側容器部品Ｑの主板５０の先端側板部５０ｃが、その左右両側縁部にて、一側容器部品Ｐの左右両側副板６０の各内側端部６１ａ上に沿うように、当該左右両側副板６０の間に挿入される。
【０１０１】
これにより、上述のような他側容器部品Ｑの主板５０の先端側板部５０ｃの一側容器部品Ｐの左右両側副板６０間への挿入並びに一側容器部品Ｐの主板５０の先端側板部５０ｃの他側容器部品Ｑの左右両側副板６０間への挿入が共に同時にかつ円滑になされ得る。
【０１０２】
このとき、他側容器部品Ｑの主板５０の先端側板部５０ｃの一側容器部品Ｐの左右両側副板６０間への挿入並びに一側容器部品Ｐの主板５０の先端側板部５０ｃの他側容器部品Ｑの左右両側副板６０間への挿入にあたり、これら挿入が、他側容器部品Ｑの容器本体Ｂと一側容器部品Ｐの主板５０とを対向させる操作及び一側容器部品Ｐの容器本体Ｂと他側容器部品Ｑの主板５０とを対向させるように把持する操作を精度よく行うことを必要とせず、一側容器部品Ｐの先端側板部５０ｃを、その左右両側縁部にて、他側容器部品Ｑの左右両側副板６０の各内側端部６１ａ上に沿わせ、かつ、他側容器部品Ｑの先端側板部５０ｃを、その左右両側縁部にて、一側容器部品Ｐの左右両側副板６０の各内側端部６１ａ上に沿わせるようにするだけで、容易になされ得る。
【０１０３】
然る後、両側容器部品Ｐ、Ｑをそのままさらに接近する方向に移動させれば、一側容器部品Ｐの主板５０の先端側板部５０ｃが、延出端側板部位５３にて、他側容器部品Ｑの容器本体Ｂの左右両側壁２０、３０の各前側部２２、３２の間に挿入されるとともに、他側容器部品Ｑの主板５０の先端側板部５０ｃが、延出端側板部位５３にて、一側容器部品Ｐの容器本体Ｂの左右両側壁２０、３０の各前側部２２、３２の間に挿入される。これらの挿入は、両側容器部品Ｐ、Ｑを上述のごとく同一構成としたため、同時になされ得る。
【０１０４】
これに伴い、一側容器部品Ｐの先端側板部５０ｃの延出端側板部位５３が、そのコ字状中央部５３ａにて、他側容器部品Ｑの左右両側壁２０、３０の各前側部２２、３２の屈曲壁部２２ｂ、３２ｂの間に挿入される。このとき、この挿入は、一側容器部品Ｐにおける延出端側板部位５３のコ字状中央部５３ａが、連結部５３ｃにて、他側容器部品Ｑにおける容器本体Ｂの筒体４０の左右両側湾曲壁４２に沿うとともに、左右両側脚部５３ｄにて、他側容器部品Ｑにおける筒体４０の左右両側湾曲壁４２をその左右両外側から挟むようにして当該左右両側湾曲壁４２に沿うようになされ、かつ、一側容器部品Ｐにおける延出端側板部位５３の左右両側縁部５３ｂが、他側容器部品Ｑにおける容器本体Ｂの左右両側壁２０、３０の各前側部２２、３２の屈曲壁部２２ｂ、３２ｂの内面に沿うようになされる。
【０１０５】
但し、上述したごとく、左右両側脚部５３ｄが、その各対向内面の間隔にて、延出端側板部位５３の延出基端側から延出端側にかけて順次幾分広くなるように形成されているため、一側容器部品Ｐにおける延出端側板部位５３のコ字状中央部５３ａは、左右両側脚部５３ｄにて、他側容器部品Ｑにおける筒体４０の左右両側湾曲壁４２をその左右両外側から順次締め付けるようにして、他側容器部品Ｑにおける容器本体Ｂの左右両側壁２０、３０の各前側部２２、３２の間に挿入される。
【０１０６】
また、このような一側容器部品Ｐの先端側板部５０ｃの延出端側板部位５３の他側容器部品Ｑの左右両側壁２０、３０の間への挿入にあわせて、他側容器部品Ｑの先端側板部５０ｃの延出端側板部位５３が、そのコ字状中央部５３ａにて、一側容器部品Ｐの左右両側壁２０、３０の各前側部２２、３２の屈曲壁部２２ｂ、３２ｂの間に挿入される。このとき、この挿入は、他側容器部品Ｑにおける延出端側板部位５３のコ字状中央部５３ａが、連結部５３ｃにて、一側容器部品Ｐにおける容器本体Ｂの筒体４０の左右両側湾曲壁４２に沿うとともに、左右両側脚部５３ｄにて、他側容器部品Ｑにおける筒体４０の左右両側湾曲壁４２をその左右両外側から挟むようにして当該左右両側湾曲壁４２に沿うようになされ、かつ、他側容器部品Ｑにおける延出端側板部位５３の左右両側縁部５３ｂが、一側容器部品Ｑにおける容器本体Ｂの左右両側壁２０、３０の各前側部２２、３２の屈曲壁部２２ｂ、３２ｂの内面に沿うようになされる。
【０１０７】
但し、上述したごとく、左右両側脚部５３ｄが、その各対向内面の間隔にて、延出端側板部位５３の延出基端側から延出端側にかけて順次幾分広くなるように形成されているため、他側容器部品Ｑにおける延出端側板部位５３のコ字状中央部５３ａは、左右両側脚部５３ｄにて、一側容器部品Ｐにおける筒体４０の左右両側湾曲壁４２をその左右両外側から順次挟み込みにより締め付けるようにして、一側容器部品Ｐにおける容器本体Ｂの左右両側壁２０、３０の各前側部２２、３２の間に挿入される。これに伴い、上述のような順次締め付けに基づき、棒状工具Ｄの柄部が、一側容器部品Ｐにおける容器本体Ｂの円筒４１内にてしっかりと同軸的に保持され得る。
【０１０８】
然る後、一側容器部品Ｐの主板５０がその延出端側板部位５３にて他側容器部品Ｑの容器本体Ｂの底壁１０の前端部に当接するとともに、他側容器部品Ｑの主板５０がその延出端側板部位５３にて一側容器部品Ｐの容器本体Ｂの底壁１０の前端部に当接することで、当該工具容器の組み付けが終了する。
【０１０９】
以上のように、一側及び他側の容器部品Ｐ、Ｑは、余分な部品を必要とすることなく、共に、同一の構成を有するように形成されているので、当該一側及び他側の容器部品Ｐ、Ｑを、上述のように、互いに対向させた状態で相互に挿入するという一度の操作だけで、組み付けることができる。従って、当該工具容器の組み付け作業が非常に簡単で良好になされ得る。
【０１１０】
また、上述のような組み付け終了後の工具容器においては、一側容器部品Ｐの延出端側板部位５３の左右両側縁部５３ｂが、その各隆起部ｕにて、他側容器部品Ｑの左右両側壁２０、３０の各屈曲壁部２２ｂ、３２ｂに対し、その各窪みｈ内に係合することで変位不能に位置決めされるとともに、他側容器部品Ｑの延出端側板部位５３の左右両側縁部５３ｂが、その各隆起部ｕにて、一側容器部品Ｐの左右両側壁２０、３０の各屈曲壁部２２ｂ、３２ｂに対し、その各窪みｈ内に係合することで変位不能に位置決めされる。従って、上述のような組み付け終了後の工具容器において、一側及び他側の容器部品Ｐ、Ｑが不用意に互いに分離することなく良好に相互に組み付け維持され得る。
【０１１１】
また、上述のような組み付け終了後の工具容器においては、他側容器部品Ｑの左右両側副板６０が、その各上側端部にて、それぞれ、当該工具容器の長手方向において、一側容器部品Ｐの左右両側副板６０の各上側端部に当接し、かつ、他側容器部品Ｑの主板５０の先端側板部５０ｃが、その左右両側縁部にて、一側容器部品Ｐの左右両側副板６０の各薄肉部６２の間において各厚肉部６１の内側端部６１ａ上に当接するとともに、他側容器部品Ｑの主板５０の先端側板部５０ｃが、その左右両側縁部にて、一側容器部品Ｐの左右両側副板６０の各薄肉部６２の間において各厚肉部６１の内側端部６１ａ上に当接している。
【０１１２】
しかも、上述した各当接は、上述のような一側容器部品Ｐの容器本体Ｂに対する他側容器部品Ｑの主板５０の挿入及び他側容器部品Ｑの容器本体Ｂに対する一側容器部品Ｐの主板５０の挿入により、液密的に確保され得る。
【０１１３】
これにより、一側容器部品Ｐが、その容器本体Ｂ及び背板部材Ｔにて、他側容器部品Ｑの容器本体Ｂ及び背板部材Ｔとともに、棒状工具Ｄを収容する収容部が液密的に構成され得る。
【０１１４】
従って、このように当該工具容器が組み付けられている状態では、棒状工具Ｄに油が付着していても、この油が上記収容部から漏れ出ることがない。また、異物が上記収容部内に混入することもない。
【０１１５】
また、棒状工具Ｄが当該工具容器の上記収容部内に収容されている状態においては、棒状工具Ｄの柄部が、一側容器部品Ｐの容器本体Ｂの円筒４１内に上述のごとくしっかりと保持されているため、当該工具容器を、棒状工具Ｄの収容保持のまま、不注意により落下させるようなことがあっても、棒状工具Ｄは、当該工具容器内にて移動することなく良好に収容保持され得る。
【０１１６】
一方、上述のように工具容器内に収容した棒状工具Ｄを当該工具容器から取り出すにあたっては、作業者が、例えば、その左右両手の人差し指と親指により一側及び他側の容器部品Ｐ、Ｑをその各容器本体Ｂの左右両側壁２０、３０を挟んで互いに逆方向に引っ張る。なお、この引っ張り作業は、各左右両側壁２０、３０の外面には、上述のごとく、滑り止め用凹凸処理が施されていることから、良好になされ得る。
【０１１７】
これに伴い、一側容器部品Ｐの主板５０が、延出端側板部位５３の各隆起部ｕにて、他側容器部品Ｑの容器本体Ｂの左右両側壁２０、３０の各屈曲壁部２２ｂ、３２ｂの各窪み部ｈから弾力に抗して解離するとともに、他側容器部品Ｑの主板５０が、延出端側板部位５３の各隆起部ｕにて、一他側容器部品Ｐの容器本体Ｂの左右両側壁２０、３０の各屈曲壁部２２ｂ、３２ｂの各窪み部ｈから弾力に抗して解離する。従って、一側容器部品Ｐ及び他側容器部品Ｑが、相互に容易に分離され得る。
【０１１８】
然る後、棒状工具Ｄを保持したままの一側容器部品Ｐにおいて、上述と同様にして主板５０を容器本体Ｂから解離するように回動させる。ついで、棒状工具Ｄを筒体４０から引っ張り出す。このとき、上述のように一側及び他側の容器部品Ｐ、Ｑを相互に分離することで、一側容器部品Ｐの容器本体Ｂにおいては、筒体４０の両左右両側湾曲壁４２が他側容器部品Ｑの主板５０の先端側板部５０ｃのコ字状中央部５３ａの左右両側脚部５３ｄから解放されている。従って、棒状工具Ｄを筒体４０の円筒４１から容易に取り出すことができる。
【０１１９】
また、上述のように棒状工具Ｄを筒体４０から取り出すにあたり、一側容器部品Ｐの背板部材Ｔが上述のように容器本体Ｂから回動していることから、左右両側副板６０により干渉されることなく、棒状工具Ｄを筒体４０から容易に取り出すことができる。
【０１２０】
また、両側容器部品Ｐ、Ｑの各形成材料は、上述のごとく、透明の硬合成樹脂からなるため、棒状工具Ｄを収容した当該工具容器を外部から観察した場合、当該工具容器は、見る人に対し、きれいな高級透明感を与えることができる。
【０１２１】
また、本第１実施形態においては、当該工具容器を構成する両側容器部品Ｐ、Ｑは、上述のごとく、共に、樹脂射出成形機による射出組み付け成形でもって、同一の構成を有するように一体成形されている。
【０１２２】
従って、樹脂射出成形機による射出組み付け成形にあたり必要とされる両側容器部品Ｐ、Ｑの各スライド型金型は、双方を独立的に別々に準備することを必要とせず、両側容器部品Ｐ、Ｑの一方の容器部品のスライド型金型のみを準備すればよい。
【０１２３】
その結果、両側容器部品Ｐ、Ｑの各射出成形は、各々、上述したスライド型金型のみを用いて、行うことで、当該工具容器の製造工程や製造作業が、両側容器部品Ｐ、Ｑの一方のための製造工程や製造作業のみで済み、非常に簡素化されるのは勿論のこと、金型コスト、ひいては、当該工具容器の製造コストが軽減され得る。
（第２実施形態）
図１４及び図１５は、本発明に係る工具容器の第２実施形態の要部を示している。この第２実施形態では、上記第１実施形態にて述べた両側容器部品Ｐ、Ｑの各々において、容器部品Ｂの底壁１０が、後端部１１に代えて後端部１２を有しており、当該後端部１２は、その後端にて、容器部品Ｂの左右両側壁２０、３０の各下側後端と図１４にて図示上下方向において同一線上に位置する。
【０１２４】
また、本第２実施形態では、上記第１実施形態にて述べた両側容器部品Ｐ、Ｑの各々において、背板部材Ｔの主板５０が、基端側板部５０ａの延出基端部５１にて、細幅状薄肉部５１ｂを介し、容器部品Ｂの底壁１０の後端部１２に回動可能にかつ一体的に連結されている。このことは、基端側板部５０ａの延出基端部５１は、細幅状薄肉部５１ｂ及び底壁１０の後端部１２と共に、主板５０と底壁１０との間のヒンジ部を構成することを意味する。なお、上述した細幅状薄肉部５１ｂの薄さは、当該工具容器の形成材料との関係において、ヒンジ機能を発揮し得る程度の値であればよい。
【０１２５】
また、本第２実施形態において、上記第１実施形態にて述べた両側容器部品Ｐ、Ｑは、上記第１実施形態とは異なり、柔軟性のある合成樹脂、即ち柔合成樹脂（例えば、ポリプロピレン樹脂）を用いて、上記樹脂射出成形機により、同一の構成を有するように、上記ヒンジ部を含めて一体成形されている。なお、上記柔合成樹脂は、一側及び他側の容器部品Ｐ、Ｑの各々の一体成形後において、上記薄肉部をヒンジ部として機能させ易い程度の柔らかさを有する合成樹脂をいう。その他の構成は、上記第１実施形態と同様である。
【０１２６】
このように構成した本第２実施形態によれば、両側容器部品Ｐ、Ｑの形成材料が上記第１実施形態とは異なるものの、主板５０の容器本体Ｂに対する回動は、上記ヒンジ部を基準になされる。これによっても、上記第１実施形態と同様の作用効果を達成することができる。
【０１２７】
なお、本発明の実施にあたり、上記実施形態に限ることなく、次のような種々の変形例が挙げられる。
（１）本発明の実施にあたり、上記第１実施形態においては、両側容器部品Ｐ、Ｑの形成材料を透明の硬合成樹脂、例えば、ポリカーボネートとしたが、これに限ることなく、当該形成材料は、他の硬合成樹脂（例えば、ＡＢＳ樹脂）或いは柔合成樹脂（例えば、ポリプロピレン樹脂）等のどのような合成樹脂であってもよい。
（２）本発明の実施にあたり、種々の軸長の棒状工具に合わせて背板部材Ｔの左右両側副板６０の長さを変更するとともに主板５０の先端側板部５０ｃの長さを変更すれば、種々の軸長の棒状工具の収容がコンパクトになされ得る。
（３）本発明にあたり、筒体４０は、左右両側湾曲壁４２を廃止して、円筒４１を、その弾力に抗して棒状工具Ｄの柄部を挿入し易いような形状にしてもよい。例えば、切り割り状円筒４１の上側開口部の開口形状を、逆Ｖ字状とし、かつ、円筒４１の内径を棒状工具Ｄの柄部の外径よりも幾分小さめにするようにして、円筒４１のみでその弾力に抗して棒状工具Ｄの柄部を保持するようにしてもよい。
（４）本発明の実施にあたり、筒体４０の左右両側湾曲壁４２に対する主板５０の延出端側板部位５３のコ字状中央部５３ａによる挟持が充分であれば、延出端側板部位５３の各隆起部ｕ及び容器本体Ｂの左右両側壁２０、３０の各屈曲壁部の各窪み部ｈは、廃止してもよい。
（５）本発明の実施にあたり、主板５０の先端側板部５０ｃは、コ字状中央部５３ａに限ることなく、当該コ字状中央部５３ａと同一方向へ突出する湾曲部を有するようにしてもよい。
（６）本発明の実施にあたり、上記各実施形態にて述べた工具容器の全長寸法や横断面の寸法等の外形寸法は、収容すべき棒状工具の外形寸法にあわせて適宜変更してもよい。
【符号の説明】
【０１２８】
Ｂ…容器本体、Ｄ…棒状工具、Ｐ、Ｑ…容器部品、Ｔ…背板部材、１０…底壁、
１１、１２…後端部、２０…左側壁、２１ａ、３１ａ…軸孔部、
２２、３２…前側部、３０…右側壁、４０…筒体、４１ａ…上側開口部、
４２…湾曲壁、５０…主板、５０ａ…基端側板部、５０ｂ…中間板部、
５０ｃ…先端側板部、５１…延出基端部、５１ａ…軸部、５１ｂ…薄肉部、
５３ａ…コ字状中央部、５３ｂ…縁部、５３ｃ…連結部、５３ｄ…脚部、
６０…副板、６１…厚肉部、６１ａ…内側端部、６２…薄肉部。
【図１】
0005479512.tif 000002
【図２】
0005479512.tif 000003
【図３】
0005479512.tif 000004
【図４】
0005479512.tif 000005
【図５】
0005479512.tif 000006
【図６】
0005479512.tif 000007
【図７】
0005479512.tif 000008
【図８】
0005479512.tif 000009
【図９】
0005479512.tif 000010
【図１０】
0005479512.tif 000011
【図１１】
0005479512.tif 000012
【図１２】
0005479512.tif 000013
【図１３】
0005479512.tif 000014
【図１４】
0005479512.tif 000015
【図１５】
0005479512.tif 000016